(57)【要約】【課題】機器本体や外部機器に対して加わる振動の方向に関わらず、外部機器と機器本体の接点部どうしの摩耗を抑制して、接点部の表面の削れによる導通不良を回避する仕組みを提供する。【解決手段】電子機器は、第１の接点部１１２を有する端子部材１０５が設けられた機器本体と、機器本体に着脱可能に装着され、装着された際に第１の接点部１１２に接触して電気的に導通する第２の接点部１２９を有する外部機器１０３と、を備える。端子部材１０５は、機器本体に対して移動可能に弾性的に保持され、外部機器１０３は、機器本体に対して隙間をあけて装着されるとともに、装着された際に、第２の接点部１２９が端子部材１０５の第１の接点部１１２により保持される。そして、第１の接点部１１２による第２の接点部１２９の保持力は、機器本体に対する端子部材１０５の保持力より大きく設定されている。【選択図】図９
2014123506.tif 000002
【特許請求の範囲】
【請求項１】
第１の接点部を有する端子部材が設けられた機器本体と、
前記機器本体に着脱可能に装着され、前記装着された際に前記端子部材の前記第１の接点部に接触して電気的に導通する第２の接点部を有する外部機器と、を備え、
前記端子部材は、前記機器本体に弾性的に保持されるとともに、前記機器本体に弾性的に保持される力に抗して前記機器本体に対して移動可能とされ、
前記外部機器は、前記機器本体に対して隙間をあけて装着されるとともに、前記装着された際に、前記第２の接点部が前記端子部材の前記第１の接点部により保持されることを特徴とする電子機器。
【請求項２】
前記第１の接点部による前記第２の接点部の保持力は、前記機器本体に対する前記端子部材の保持力より大きく設定されていることを特徴とする請求項１に記載の電子機器。
【請求項３】
前記機器本体に対する前記端子部材の移動可能量は、前記機器本体に対する前記外部機器の隙間の量よりも大きく設定されていることを特徴とする請求項１または２に記載の電子機器。
【請求項４】
前記機器本体に前記外部機器が装着された状態で、バネの付勢力により前記外部機器の下面側に突出配置されるロックノブを備え、
前記ロックノブには、前記外部機器が当接する斜面部が形成されていることを特徴とする請求項１乃至３のいずれか一項に記載の電子機器。
【請求項５】
前記外部機器は、バッテリであることを特徴とする請求項１乃至４のいずれか一項に記載の電子機器。
【発明の詳細な説明】
【技術分野】
【０００１】
本発明は、例えばデジタルビデオカメラやデジタルスチルカメラ等の撮像装置を含む電子機器に関する。
【背景技術】
【０００２】
デジタルビデオカメラやデジタルスチルカメラ等の電子機器では、外部機器との間で信号を入出力するため入出力コネクタやバッテリが着脱可能に装着されるバッテリ室等が設けられるものがある。
【０００３】
例えばデジタルビデオカメラのカメラ本体に設けられたバッテリ室にバッテリを装着すると、バッテリ室に露出している接点部にバッテリ側の接点部が接触することでカメラ本体に電源が供給される。
【０００４】
ところで、カメラ本体のバッテリ室やバッテリの製造誤差等により、バッテリ室に装着されたバッテリとバッテリ室との間には、所定の隙間を設けることが一般的である。この場合、バッテリ室にバッテリが装着された状態で振動が加えられると、バッテリがバッテリ室内で動いてしまう。このため、互いに接触している接点部どうしで摩耗が発生して接点部の表面が削れ、バッテリとカメラ本体間で導通不良を起こす可能性がある。
【０００５】
そこで、電子機器の機器本体側の接点部を水平、及び垂直方向に対して弾性保持することによって、振動が加えられた際に、バッテリ等の外部機器の動きに機器本体側の接点部が追従する技術が提案されている（特許文献１）。
【先行技術文献】
【特許文献】
【０００６】
【特許文献１】特開２００９−１５７５７０号公報
【発明の概要】
【発明が解決しようとする課題】
【０００７】
しかし、上記特許文献１では、機器本体に対してバッテリ等の外部機器の取り外す方向の動きが確実に規制されていない。このため、機器本体側の接点部が追従できる量よりも大きい振幅の振動が外部機器に対して取り外す方向に加えられた際には、接点部どうしが摩耗して接点部の表面に削れが発生してしまうという問題がある。
【０００８】
そこで、本発明は、機器本体や外部機器に対して加わる振動の方向に関わらず、外部機器と機器本体の接点部どうしの摩耗を抑制して、接点部の表面の削れによる導通不良を回避する仕組みを提供することを目的とする。
【課題を解決するための手段】
【０００９】
上記目的を達成するために、本発明の電子機器は、第１の接点部を有する端子部材が設けられた機器本体と、前記機器本体に着脱可能に装着され、前記装着された際に前記端子部材の前記第１の接点部に接触して電気的に導通する第２の接点部を有する外部機器と、を備え、前記端子部材は、前記機器本体に弾性的に保持されるとともに、前記機器本体に弾性的に保持される力に抗して前記機器本体に対して移動可能とされ、前記外部機器は、前記機器本体に対して隙間をあけて装着されるとともに、前記装着された際に、前記第２の接点部が前記端子部材の前記第１の接点部により保持されることを特徴とする。
【発明の効果】
【００１０】
本発明によれば、機器本体や外部機器に対して加わる振動の方向に関わらず、外部機器と機器本体の接点部どうしの摩耗を抑制して、接点部の表面の削れによる導通不良を回避することができる。
【図面の簡単な説明】
【００１１】
【図１】（ａ）は本発明の電子機器の実施形態の一例であるデジタルビデオカメラを前側から見た斜視図、（ｂ）は（ａ）の後側から見た図である。
【図２】（ａ）はバッテリ室をカメラ本体の後側から見た正面図、（ｂ）は（ａ）に示すバッテリ室を下方から斜視図である。
【図３】（ａ）は端子部の斜視図、（ｂ）は（ａ）に示す端子部材を背面側から見た斜視図、（ｃ）は（ａ）に示す端子部材を背面側から見た平面図である。
【図４】（ａ）はバッテリ室カバーに端子部材を組み付ける方法を説明するための分解斜視図、（ｂ）はバッテリ室カバーに端子部材を組み付けた状態での要部断面図である。
【図５】組み付け後の端子部材とバッテリ室カバーとの関係を示す上面図である。
【図６】（ａ）はバッテリ室のロック部を下方から見た斜視図、（ｂ）はロック部の断面図である。
【図７】（ａ）はバッテリの斜視図、（ｂ）はバッテリにおける導通部の詳細図である。
【図８】（ａ）はカメラ本体のバッテリ室にバッテリを装着する前の状態をカメラ本体の後側から見た図、（ｂ）はカメラ本体のバッテリ室にバッテリを装着した状態をカメラ本体の後側から見た図である。
【図９】（ａ）はカメラ本体のバッテリ室にバッテリを装着した状態での端子部材と導通部との関係を示す詳細図、（ｂ）はカメラ本体のバッテリ室にバッテリを装着した状態でのバッテリ室のロック部の断面図である。
【図１０】バッテリ室にバッテリが装着された状態でのバッテリ室の爪部とバッテリの爪部の位置での断面図である。
【図１１】バッテリ室にバッテリが装着された状態での端子部材とバッテリの動きを説明するための斜視図である。
【図１２】（ａ）はバッテリ室に比較的小型のバッテリを装着した状態でのロック部の断面図、（ｂ）はバッテリ室に比較的大型のバッテリを装着した状態でのロック部の断面図である。
【発明を実施するための形態】
【００１２】
以下、本発明の実施形態の一例を図面を参照して説明する。
【００１３】
図１（ａ）は、本発明の電子機器の実施形態の一例であるデジタルビデオカメラを前側から見た斜視図である。図１（ｂ）は、図１（ａ）の後側から見た図である。なお、図１（ｂ）では、カメラ本体からバッテリを取り外した状態を示している。また、本実施形態では、デジタルビデオカメラを撮影者側から見て上下左右とし、被写体側を前側とする。更に、本実施形態は、電子機器として、撮像装置の一例としてのデジタルビデオカメラを例示するが、これに限定されない。
【００１４】
図１に示すように、本実施形態のデジタルビデオカメラは、カメラ本体１００の左側面に表示ユニット１００ａがヒンジ部を介して開閉方向に回動可能に支持されている。カメラ本体１００の前側には、撮像部１０１が設けられ、カメラ本体１００の後側には、図１（ｂ）に示すように、バッテリ室１０２が一体に設けられる。ここで、カメラ本体１００は、本発明の機器本体の一例に相当する。
【００１５】
バッテリ室１０２には、図１（ａ）に示すように、本発明の外部機器の一例に相当する例えばリチウムイオン電池等の二次電池からなるバッテリ１０３が着脱可能に装着される。かかる装着により、バッテリ１０３からカメラ本体１００及び表示ユニット１００ａに電源が供給される。
【００１６】
図２（ａ）は、バッテリ室１０２をカメラ本体１００の後側から見た正面図である。図２（ｂ）は、図２（ａ）に示すバッテリ室１０２を下方から斜視図である。
【００１７】
図２に示すように、バッテリ室１０２は、バッテリ室カバー１０４、端子部材１０５、爪部１０６、ロック部１０７、及びバッテリ室側壁１０８を備える。
【００１８】
バッテリ室カバー１０４は、カメラ本体１００の後側の外装を構成するカバーであり、カメラ本体１００と一体に形成される。
【００１９】
端子部材１０５は、バッテリ室１０２の上側に配置され、バッテリ室１０２にバッテリ１０３を装着した状態で、バッテリ１０３の後述する導通部１０９に対応する位置に設けられる。なお、端子部材１０５の詳細については、後述する。
【００２０】
爪部１０６は、バッテリ室１０２の左右両側にそれぞれ上下方向に互いに離間して２カ所（合計４カ所）設けられ、バッテリ室カバー１０４と一体に形成される。
【００２１】
ロック部１０７は、バッテリ室１０２の下側の端子部材１０５と上下方向に略対向する位置に前方に延出して設けられ、カメラ本体１００の下面内部に収納可能とされている。なお、ロック部１０７の詳細については、後述する。
【００２２】
バッテリ室側壁１０８は、バッテリ室１０２の左右両側で上下の爪部１０６の間に位置して設けられ、バッテリ室カバー１０４と一体に形成されて、バッテリ室１０２に装着されたバッテリ１０３の左右方向の位置を規制する。
【００２３】
図３（ａ）は、端子部材１０５の斜視図である。図３（ｂ）は、図３（ａ）に示す端子部材１０５を背面側から見た斜視図である。図３（ｃ）は、図３（ａ）に示す端子部材１０５を背面側から見た平面図である。
【００２４】
図３に示すように、端子部材１０５は、樹脂等で成形されたハウジング１１１を備える。ハウジング１１１は、左右方向に長い上壁部１１１ａと、上壁部１１１ａの幅方向（前後方向）の一側から下方に延びる前壁部１１１ｂと、前壁部１１１ｂの背面側で左右方向に互いに離間して設けられる一対の側壁部１１５とを有する。
【００２５】
上壁部１１１ａの左右の両端部には、それぞれフランジ１１３が設けられ、フランジ１１３には、穴１１４が形成されている。また、一対の側壁部１１５の少なくとも下端外側には、斜面部１１６が形成されている。
【００２６】
更に、一対の側壁部１１５の間には、複数の金属片１１２が左右方向に略等間隔で配置され、複数の金属片１１２は、前壁部１１１ｂに形成された複数の穴をそれぞれ貫通して前壁部１１１ｂから前方に突出配置されている。そして、一対の側壁部１１５の間に配置される複数の金属片１１２にバッテリ１０３の導通部１０９の後述する金属片１２９が接触して電気的に接続される。ここで、金属片１１２は、本発明の第１の接点部の一例に相当し、金属片１２９は、本発明の第２の接点部の一例に相当する。
【００２７】
図４（ａ）は、バッテリ室カバー１０４に端子部材１０５を組み付ける方法を説明するための分解斜視図である。図４（ｂ）は、バッテリ室カバー１０４に端子部材１０５を組み付けた状態での要部断面図である。図５は、組み付け後の端子部材１０５とバッテリ室カバー１０４との関係を示す上面図である。
【００２８】
図４に示すように、端子部材１０５は、ハウジング１１１の上壁部１１１ａが端子部クッション１１８と共にバッテリ室カバー１０４の上面と樹脂製の端子部押さえ部材１１９との間に挟まれた状態で配置されている。
【００２９】
端子部クッション１１８は、スポンジ等の変位可能な加撓性を有する適宜の弾性部材で形成されており、その一面はＰＥＴ（ポリエチレンテレフタレート）等の摺動抵抗がハウジング１１１の上壁部１１１ａより低い素材で形成されている。そして、端子部クッション１１８は、摺動抵抗の低い面を上側に露出するようにハウジング１１１の上壁部１１１ａに接着等により固定されている。そして、この状態で、端子部押さえ部材１１９は、端子部クッション１１８の上側よりネジ１２１によってバッテリ室カバー１０４に固定される。
【００３０】
かかる固定状態では、バッテリ室カバー１０４の上部に形成された開口部１２０に端子部材１０５のハウジング１１１の一対の側壁部１１５及び前壁部１１１ｂが挿入され、これにより、複数の金属片１１２がバッテリ室１０２内に露出する。
【００３１】
また、図４（ｂ）に示すように、端子部材１０５のハウジング１１１の上壁部１１１ａと端子部押さえ部材１１９との間には、所定の隙間Ｘが形成されている。これにより、端子部材１０５は、バッテリ室カバー１０４と端子部押さえ部材１１９の間で上下方向に移動可能とされている。
【００３２】
図５に示すように、端子部材１０５の組み付け状態においては、端子部材１０５のハウジング１１１のフランジ１１３に形成された穴１１４は、バッテリ室カバー１０４の上面に設けられたボス１２２に嵌め込まれている。
【００３３】
ここで、穴１１４の径は、ボス１２２の径よりも大きく設定されているため、端子部材１０５は、穴１１４の径とボス１２２の径との差の隙間分だけ前後左右方向に移動可能とされている。このとき、端子部クッション１１８は、上述したように、摺動抵抗の低い面を端子部押さえ部材１１９側に向けて露出しているため、端子部材１０５の移動の際に端子部押さえ部材１１９に対して端子部材１０５と一体に滑らかに摺動することが可能となる。
【００３４】
なお、端子部クッション１１８は、端子部材１０５と端子部押さえ部材１１９の間に、圧縮された状態で介装されている。そのため、端子部材１０５は、フランジ１１３がバッテリ室カバー１０４に当接した状態で、端子部クッション１１８の反発力によって常に下方に対して押し付けられて弾性的に保持されている。
【００３５】
そして、端子部クッション１１８の反発力、及び端子部押さえ部材１１９に対する摩擦力を超える力が端子部材１０５に加えられたときにのみ、端子部材１０５が上述した範囲内で上下方向及び前後左右方向に移動することが可能となる。
【００３６】
なお、端子部クッション１１８の反発力、及び端子部押さえ部材１１９に対する摩擦力を超える力は、デジタルビデオカメラの通常使用時に端子部材１０５に働く力よりも大きく設定されており、したがって、通常使用時に端子部材１０５が動くことはない。
【００３７】
図６（ａ）は、ロック部１０７を下方から見た斜視図である。図６（ｂ）は、ロック部１０７の断面図である。図６（ｃ）は、ロックノブ１２３の斜視図である。
【００３８】
図６に示すように、ロック部１０７は、ロックノブ１２３、バネ１２４、バネ押さえ部材１２５、及びバッテリ室カバー１０４で構成されている。バッテリ室カバー１０４の下端には、前方に延びる延出部１０４ａが形成されており、ロックノブ１２３、及びバネ１２４は、バッテリ室カバー１０４の延出部１０４ａとバネ押さえ部材１２５との間に挟まれた状態で配置されている。そして、この状態で、バッテリ室カバー１０４の延出部１０４ａがネジ１２６にてバネ押さえ部材１２５に固定されている。
【００３９】
このとき、バネ押さえ部材１２５には、前後方向に延びるレール部（不図示）が設けられており、このレール部に沿ってロックノブ１２３が前後方向に移動可能とされている。また、バネ１２４は、圧縮された状態でバネ押さえ部材１２５とロックノブ１２３との間に配置される。
【００４０】
そのため、ロックノブ１２３は、バネ１２４の付勢力によって常に後側、すなわちバッテリ室１０２側に押し付けられた状態でバッテリ室カバー１０４に当接している。そして、ロックノブ１２３の後側の端部１２３ｂは、バッテリ室１０２内に突出して配置され、突出部分には、バッテリ室１０２に装着されたバッテリ１０３が当接する斜面部１２７が形成されている。
【００４１】
また、バッテリ室カバー１０４の延出部１０４ａには、開口部１０４ｂが形成されており、この開口部１０４ｂには、ロックノブ１２３の一部が露出している。ロックノブ１２３の開口部１０４ｂからの露出部分には、操作用の指掛け部１２３ａが形成されている。
【００４２】
これにより、指掛け部１２３ａに指等を掛けてロックノブ１２３をバネ１２４の付勢力に抗して前側方向（図６（ａ）の矢印Ａ方向）に開口部１０４ｂの前側の内壁に当接するまで移動操作することが可能になっている。
【００４３】
ロックノブ１２３が開口部１０４ｂの前側の内壁に当接した状態では、ロックノブ１２３の後側の端部１２３ｂは、バッテリ室１０２から退避してカメラ本体１００の下面内部にロックノブ１２３が収納される。そして、この状態でロックノブ１２３から指等を離すと、ロックノブ１２３は、バネ１２４の付勢力によって元の位置に復帰する。
【００４４】
図７（ａ）は、バッテリ１０３の斜視図である。図７（ｂ）は、バッテリ１０３における導通部１０９の詳細図である。
【００４５】
バッテリ１０３は、電池セル、及び回路基板を内蔵し、図７（ａ）に示すように、導通部１０９、爪部１１０及びバッテリカバー１０３ａから構成される。
【００４６】
導通部１０９は、バッテリ１０３の上側にバッテリ室１０２の端子部材１０５に対応して設けられ、左右方向に複数のリブ１４０が略等間隔で配置されて、互いに隣り合うリブ１４０間に、複数のスリット形状部１２８が設けられる。
【００４７】
スリット形状部１２８の両側のリブ１４０には、図７（ｂ）に示すように、回路基板に電気的に接続された金属片１２９が対をなして設けられている。金属片１２９は、バネ性を有しており、対をなす金属片１２９の間に端子部材１０５の金属片１１２が挿入されることで、電気的に接続される。
【００４８】
また、複数のリブ１４０の左右方向の最も外側に位置するリブ１４０の外側には、間隔をあけてそれぞれ壁部１４１が配置されている。そして、左右方向の最も外側のリブ１４０と壁部１４１との間には、端子部材１０５の壁部１１５が隙間を有して挿入される挿入部１４２が形成されている。
【００４９】
爪部１１０は、バッテリカバー１０３ａと一体に形成され、バッテリ室１０２の爪部１０６に対応して、バッテリ１０３の左右両側にそれぞれ上下方向に互いに離間して２カ所（合計４カ所）設けられている。
【００５０】
図８（ａ）は、カメラ本体１００のバッテリ室１０２にバッテリ１０３を装着する前の状態をカメラ本体１００の後側から見た図である。図８（ｂ）は、カメラ本体１００のバッテリ室１０２にバッテリ１０３を装着した状態をカメラ本体１００の後側から見た図である。図９（ａ）は、カメラ本体１００のバッテリ室１０２にバッテリ１０３を装着した状態での、端子部材１０５と導通部１０９との関係を示す詳細図である。図９（ｂ）は、カメラ本体１００のバッテリ室１０２にバッテリ１０３を装着した状態での、バッテリ室１０２のロック部１０７の断面図である。
【００５１】
バッテリ室１０２にバッテリ１０３を装着する際には、まず、バッテリ１０３でロックノブ１２３の後側の端部１２３ｂを押し込んでロックノブ１２３をカメラ本体１００の下面内部に退避させる。
【００５２】
この状態で、バッテリ室１０２に対してバッテリ１０３をカメラ本体１００の下面側から上面側に図８（ａ）の矢印Ｂ方向に沿って移動させる。このとき、バッテリ１０３は、爪部１１０がバッテリ室１０２の爪部１０６に案内されて図８（ｂ）に示す装着状態となる。
【００５３】
このとき、図９（ａ）に示すように、バッテリ１０３の導通部１０９の挿入部１４２に端子部材１０５の壁部１１５が挿入されると共に、端子部材１０５の金属片１１２に導通部１０９の対をなす金属片１２９間に差し込まれて電気的に導通する。
【００５４】
また、爪部１１０と爪部１０６の係合によって、バッテリ１０３の前後方向の位置が規制され、上述したように、バッテリ室側壁１０８によって、バッテリ１０３の左右方向の位置が規制される。
【００５５】
ここで、端子部材１０５の壁部１１５の斜面部１１６の左右方向の幅寸法は、バッテリ１０３がバッテリ室１０２内で左右方向に移動できる量、すなわち、壁部１１５と挿入部１４２との隙間量よりも大きく設定されている。
【００５６】
このため、バッテリ室カバー１０４に対して端子部材１０５の位置がずれて配置されていたとしても、バッテリ１０３の上方向への移動の際に導通部１０９の壁部１４１が斜面部１１６に案内されて金属片１２９を端子部材１０５の金属片１１２に導くことができる。
【００５７】
また、バッテリ室１０２にバッテリ１０３が装着された状態では、図９（ｂ）に示すように、バッテリ１０３によるロックノブ１２３の押し付けは解除される。そして、ロックノブ１２３は、バネ１２４の付勢力で初期位置に復帰して、後側の端部１２３ｂがバッテリ１０３の下面側に突出配置される。そして、バッテリ１０３の下側角部にロックノブ１２３の斜面部１２７が当接してバッテリ１０３の落下を防止する。
【００５８】
なお、バッテリ室１０２からバッテリ１０３を取り外すには、ロックノブ１２３をバネ１２４の付勢力に抗して前側方向（図６（ａ）の矢印Ａ方向）に移動操作してカメラ本体１００の下面内部にロックノブ１２３を収納する。この状態で、バッテリ１０３を下方（図８（ｂ）の矢印Ｃ方向）へ移動させることで、容易にバッテリ室１０２からバッテリ１０３を取り外すことができる。
【００５９】
図１０は、バッテリ室１０２にバッテリ１０３が装着された状態でのバッテリ室１０２の爪部１１０と、バッテリ１０３の爪部１０６の位置での断面図である。図１１は、バッテリ室１０２にバッテリ１０３が装着された状態での端子部材１０５とバッテリ１０３の動きを説明するための斜視図である。
【００６０】
図１０に示すように、バッテリ室１０２にバッテリ１０３が装着された状態では、バッテリ室１０２の爪部１０６とバッテリ１０３の爪部１１０との間には、前後方向に隙間が形成されている。また、左右のバッテリ室側壁１０８とバッテリ１０３との間にも、左右方向に隙間が形成されている。
【００６１】
従って、バッテリ室１０２にバッテリ１０３が装着された状態において、バッテリ１０３は、バッテリ室１０２に対して、上述した隙間の量に応じて前後方向（図１１の矢印Ｄ１方向）及び左右方向（図１１の矢印Ｄ２方向）に動くことが可能となる。
【００６２】
一方、バッテリ室１０２の端子部材１０５は、バッテリ室カバー１０４に対して前後左右方向に移動可能に保持されている。また、端子部材１０５と導通部１０９の間では、金属片１１２を対をなす金属片１２９がバネ力を発生させて挟み込んでいるため、摩擦によってバッテリ１０３を保持する力が発生している。このバッテリ１０３の保持力は、端子部クッション１１８による端子部材１０５の保持力よりも大きく設定されている。
【００６３】
このため、バッテリ１０３がバッテリ室１０２に対して前後方向及び左右方向に移動をした場合、端子部材１０５は、バッテリ１０３の移動に追従して前後方向（図１１の矢印Ｅ１方向）及び左右方向（図１１の矢印Ｅ２方向）に移動する。
【００６４】
なお、端子部材１０５のバッテリ室カバー１０４に対する前後左右方向の移動可能量は、バッテリ室カバー１０４とバッテリ１０３との間に形成される上述した前後左右方向の隙間量よりも十分大きく設定されている。
【００６５】
図１２（ａ）は、バッテリ室１０２に比較的小型のバッテリ１０３ａを装着した状態でのロック部１０７の断面図である。図１２（ｂ）は、バッテリ室１０２に比較的大型のバッテリ１０３ｂを装着した状態でのロック部１０７の断面図である。
【００６６】
バッテリ室１０２にバッテリ１０３を装着した状態では、ロック部１０７の後側の端部１２３ｂとバッテリ１０３との間には、上下方向の隙間が形成される。このとき、上述したように、バッテリ１０３の下側角部に斜面部１２７が当接し、バネ１２４の付勢力によりロックノブ１２３はバッテリ１０３に押し付けられる。
【００６７】
そのため、図１２（ａ）に示すように、バッテリ室１０２に比較的小型のバッテリ１０３ａを装着した状態でロック部１０７の後側の端部１２３ｂとバッテリ１０３との間に隙間１３０が形成されていても、斜面部１２７によりバッテリ１０３ａが後側に押される。このとき、斜面部１２７に上向きの力Ｆａが発生し、この力Ｆａによってバッテリ１０３ａは上側に押し付けられることになる。
【００６８】
また、図１２（ｂ）に示すように、バッテリ室１０２に比較的大型のバッテリ１０３ｂを装着した場合も、上記同様に、斜面部１２７に上向きの力Ｆｂが発生し、この力Ｆｂによってバッテリ１０３ｂは上側に押し付けられることとなる。
【００６９】
これにより、バッテリ１０３に上下方向の寸法のばらつきが生じたとしても、常にバッテリ１０３を上側に押し付ける力Ｆが発生するため、バッテリ１０３がバッテリ室１０２に装着された状態で上下方向に動くことを抑制する事が可能となる。また、仮にバッテリ１０３を上側に押し付ける力Ｆよりも強い力がバッテリ１０３に加えられたとしても、端子部材１０５は、上下方向に移動可能に保持されているため、バッテリ１０３に追従して上下方向に移動する。
【００７０】
なお、端子部材１０５のバッテリ室カバー１０４に対する上下方向の移動可能量は、ロック部１０７の後側の端部１２３ｂとバッテリ１０３との間に形成される上下方向の隙間１３０の量よりも十分大きく設定されている。
【００７１】
以上説明したように、本実施形態では、前後左右上下方向の全ての振動方向において、バッテリ１０３の動きに対してバッテリ室１０２の端子部材１０５が追従して動くことが可能となる。すなわち、端子部材１０５の金属片１１２とバッテリ１０３の金属片１２９とが互いの接触位置を変えることなく、一体に動くことが可能となる。これにより、バッテリ１０３に対して加わる振動の方向に関わらず、端子部材１０５の金属片１１２とバッテリ１０３の金属片１２９との摩耗を抑制して、金属片１１２，１２９の表面の削れによる導通不良を回避することができる。
【００７２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００７３】
１００  カメラ本体
１０２  バッテリ室
１０３  バッテリ
１０５  端子部材
１０７  ロック部
１０９  導通部
１１２  金属片
１１８  端子部クッション
１２９  金属片
【図１】
2014123506.tif 000003
【図２】
2014123506.tif 000004
【図３】
2014123506.tif 000005
【図４】
2014123506.tif 000006
【図５】
2014123506.tif 000007
【図６】
2014123506.tif 000008
【図７】
2014123506.tif 000009
【図８】
2014123506.tif 000010
【図９】
2014123506.tif 000011
【図１０】
2014123506.tif 000012
【図１１】
2014123506.tif 000013
【図１２】
2014123506.tif 000014